(57)【要約】【課題】巻取り軸から繰り出されたスクリーンの端縁部をガイドするスクリーンガイドが、スクリーンを巻取り軸に巻き取って開いた際に、建物の開口枠上に残らない巻取り式のスクリーン装置を提供する。【解決手段】建物の開口枠に装着する巻取り式スクリーン装置１Ａにおいて、巻取り軸４から繰り出されたスクリーン５の端縁部を開口枠上でガイドするスクリーンガイド６が、可動框３の操作によるスクリーン５の巻取り軸４からの繰り出し、又は、巻取り軸４への巻き取りに伴って、固定枠２の内部２ａ又は可動框３の内部３ｂに対して出入りするようにした。【選択図】        図１
2004346578.tif 000002
【特許請求の範囲】
【請求項１】
建物の開口枠に固定される固定枠と、該固定枠に対して往復動可能に設けられた可動框と、巻取り軸に捲回されて上記固定枠と可動框との間に支持され、上記可動框の往復動と共に上記巻取り軸に巻き取られ又はそれから繰り出されて開閉されるスクリーンと、長尺かつ湾曲可能に形成され、上記可動框の往復動と共に上記固定枠又は可動框の端部に設けられた開口からその内部に湾曲して出入りし、上記巻取り軸から繰り出されたスクリーンの端縁部に沿って直線的に導出されて該端縁部をガイドするスクリーンガイドとから構成され、
上記スクリーンにおける上記スクリーンガイドによってガイドされる端縁部には、係合部材が装着され、
上記スクリーンガイドには、その軸線方向に沿って、上記係合部材を摺動自在に係合させるための被係合部が形成されており、
巻取り軸から繰り出されたスクリーンの上記係合部材が、固定枠又は可動框から導出されたスクリーンガイドの上記被係合部に摺動自在に係合される、
ことを特徴とする巻取り式スクリーン装置。
【請求項２】
上記係合部材が、上記スクリーンの端縁部に固定したテープ状体の一端縁に、複数の突子を固定することによって構成されている、
ことを特徴とする請求項１に記載の巻取り式スクリーン装置。
【請求項３】
上記被係合部が、上記スクリーンの端縁部に臨んで開口する被係合溝から成り、
上記係合部材が、上記被係合溝に対して、その開口方向には係合される共に、その長手方向には摺動自在に挿通される、
ことを特徴とする請求項１又は請求項２に記載の巻取り式スクリーン装置。
【請求項４】
上記スクリーンガイドが、一対の側面と、これら側面の端部間に位置して上記スクリーン側に配置される内側面とを有する複数のガイド駒から構成され、これらガイド駒を、その軸線方向の両端面における内側面側の端部において、互いに該内側面側に屈折可能に連結することにより形成されており、
上記被係合溝が、各ガイド駒の上記内側面にそれぞれ開口されている、
ことを特徴とする請求項３に記載の巻取り式スクリーン装置。
【請求項５】
上記ガイド駒が、その軸線方向の両端面における上記内側面側の端部間を軸線方向に貫通する連結穴を備えて成り、該連結穴に可撓性のワイヤー部材を挿通することにより互いに連結されて上記スクリーンガイドを形成している、
ことを特徴とする請求項４に記載の巻取り式スクリーン装置。
【請求項６】
上記ガイド駒が、その軸線方向の両端面における上記内側面側の端部に、それぞれ凸部と該凸部を収容するための凹部とを備えて成り、隣接するガイド駒における上記凸部と凹部とを回動軸と軸受穴とによって回動自在に係合させることにより互いに連結されて上記スクリーンガイドを形成している、
ことを特徴とする請求項４に記載の巻取り式スクリーン装置。
【請求項７】
上記ガイド駒が、その軸線方向の両端面における上記内側面側の端部において、互いに一体に連結されて上記スクリーンガイドを形成している、
ことを特徴とする請求項４に記載の巻取り式スクリーン装置。
【請求項８】
上記スクリーンガイドの上記内側面側に対する凸状の湾曲が、隣接するガイド駒における軸線方向の端面同士の当接によって、阻止されるように構成した、
ことを特徴とする請求項４〜７の何れかに記載の巻取り式スクリーン装置。
【請求項９】
上記スクリーンガイドが、その一端を上記固定枠に固定されて、上記可動框の往復動と共に該可動框の内部に出入りし、
上記スクリーンの一端が可動框に保持され、該スクリーンの他端を保持して該スクリーンを捲回する上記巻取り軸が固定枠の内部に回動自在に支持されている、
ことを特徴とする請求項１〜８の何れかに記載の巻取り式スクリーン装置。
【請求項１０】
上記スクリーンガイドが、その一端を上記可動框に固定されて、該可動框の往復動と共に上記固定枠の内部に出入りし、
上記スクリーンの一端が固定枠に保持され、該スクリーンの他端を保持して該スクリーンを捲回する上記巻取り軸が可動框の内部に回動自在に支持されている、
ことを特徴とする請求項１〜８の何れかに記載の巻取り式スクリーン装置。
【請求項１１】
上記スクリーンガイドが、上記開口枠上に設けられたガイドレールを跨ぐための凹溝を備えて成り、該開口枠上に導出されたスクリーンガイドが、上記ガイドレールによってガイドされるように構成した、
ことを特徴とする請求項１〜１０の何れかに記載の巻取り式スクリーン装置。
【請求項１２】
上記スクリーンが、上記可動框の横移動によって開閉され、上記スクリーンガイドが、上記巻取り軸から繰り出されたスクリーンにおける下側の端縁部に沿って導出されて、該端縁部をガイドするように構成した、
ことを特徴とする請求項１〜１１の何れかに記載の巻取り式スクリーン装置。
【請求項１３】
上記可動框が、その上端にスライド部材を備え、該スライド部材によって、上記開口枠の上枠に設けたスライド枠にスライド自在に吊支されるように構成した、
ことを特徴とする請求項１２に記載の巻取り式スクリーン装置。
【請求項１４】
上記スクリーンガイドが、上記巻取り軸から繰り出されたスクリーンにおける下側及び上側の端縁部に沿ってそれぞれ導出されて、これら一対の端縁部をガイドするように構成した、
ことを特徴とする請求項１２に記載の巻取り式スクリーン装置。
【請求項１５】
張紐が、その張力によって上記固定枠と上記可動框との平行を維持するように架設されて成るワイヤー機構を備えている、
ことを特徴とする請求項１〜１４の何れかに記載の巻取り式スクリーン装置。
【発明の詳細な説明】
【０００１】
【発明の属する技術分野】
本発明は、防塵、遮光、断熱、防虫等を目的として、建物の開口枠に装着する巻取り式のスクリーン装置に関するものである。
【０００２】
【従来の技術】
従来から、巻取り軸に捲回されたスクリーンを、建物の開口枠に固定された固定枠と、該固定枠に対して往復動可能に設けられた可動框との間に支持し、該可動框の往復動により、上記スクリーンを巻取り軸に巻き取らせ又はそれから繰り出して開閉操作できるようにした巻取り式スクリーン装置は、広く知られている。
ところで、この種の巻取り式のスクリーン装置においては、巻取り軸から繰り出されたスクリーンの両端縁部と、建物の開口枠との間に隙間が形成され易いため、見栄えが良くないばかりでなく、特に上記スクリーンが防虫網である場合には、上記隙間を通って蚊や蠅等の虫が室内に侵入し易い。
【０００３】
そこで、このような問題点を解決すべく、特許文献１において、防虫網の端縁部に、多数の突子列を一側縁に備えたスライドファスナーのテープ半体を取り付け、建物の開口枠に溝付きレールを設け、該レールの溝に、上記スライドファスナーのテープ半体を摺動自在に挿通すると共に、上記突子を摺動自在に係合させた巻取り式の網戸が提案されている。
【０００４】
しかしながら、特許文献１で提案されている上記巻取り式の網戸においては、建物の開口枠に防虫網の端縁部をガイドするための溝付きレールを固定する必要性があり、そのため、防虫網が巻取り軸に巻き取られて開かれた状態にあっても、上記開口枠上に溝付きレールが残されて外観を損ねてしまう。しかも、上記巻取り式の網戸を、上下方向に開閉操作する縦引き用として使用する場合には、上記レールの高さの分、開口幅が狭められてしまうという問題点があり、また、それを横方向に開閉操作する横引き用として使用する場合には、レールの高さの分、開口高さが狭められてしまったり、開口枠の下枠を形成する床に段差が形成され、それが該開口枠を通って室内に出入りする際の障害になるという問題点がある。
【０００５】
【特許文献１】
特公平０１−０６１１５８号公報
【０００６】
【発明が解決しようとする課題】
本発明は、このような問題点を解決するために為されたもので、その課題は、巻取り軸から繰り出されたスクリーンの端縁部をガイドするスクリーンガイドが、スクリーンを巻取り軸に巻き取って開いた際に、建物の開口枠上に残らない巻取り式のスクリーン装置を提供することにある。
【０００７】
【課題を解決するための手段】
上記課題を解決するため、本発明に係る巻取り式スクリーン装置は、建物の開口枠に固定される固定枠と、該固定枠に対して往復動可能に設けられた可動框と、巻取り軸に捲回されて上記固定枠と可動框との間に支持され、上記可動框の往復動と共に上記巻取り軸に巻き取られ又はそれから繰り出されて開閉されるスクリーンと、長尺かつ湾曲可能に形成され、上記可動框の往復動と共に上記固定枠又は可動框の端部に設けられた開口からその内部に湾曲して出入りし、上記巻取り軸から繰り出されたスクリーンの端縁部に沿って直線的に導出されて該端縁部をガイドするスクリーンガイドとから構成され、上記スクリーンにおける上記スクリーンガイドによってガイドされる端縁部には、係合部材が装着され、上記スクリーンガイドには、その軸線方向に沿って、上記係合部材を摺動自在に係合させるための被係合部が形成されており、巻取り軸から繰り出されたスクリーンの上記係合部材が、固定枠又は可動框から導出されたスクリーンガイドの上記被係合部に摺動自在に係合されることを特徴とするものである。
【０００８】
このように、本発明に係る巻取り式スクリーン装置によれば、巻取り軸から繰り出されたスクリーンの端縁部をガイドするスクリーンガイドが、スクリーンを上記巻取り軸に巻き取って開いた状態においては、固定枠又は可動框の内部に収容されて建物の開口枠上に残らないため、該スクリーンガイドが、外観を損ねたり、開口の幅や高さを狭めたりすることがなく、上記開口枠を通って室内に出入りする際の障害となることもない。
【０００９】
本発明に係る巻取り式スクリーン装置において、上記係合部材は、上記スクリーンの端縁部に固定したテープ状体の一端縁に、複数の突子を固定することによって構成され、また、上記被係合部は、上記スクリーンの端縁部に臨んで開口する被係合溝から成り、上記係合部材が、上記被係合溝に対して、その開口方向には係合される共に、その長手方向には摺動自在に挿通されるようになっている。
【００１０】
具体的には、上記スクリーンガイドが、一対の側面と、これら側面の端部間に位置して上記スクリーン側に配置される内側面とを有する複数のガイド駒から構成され、これらガイド駒を、その軸線方向の両端面における内側面側の端部において、互いに該内側面側に屈折可能に連結することにより形成されており、上記被係合溝が、各ガイド駒の上記内側面にそれぞれ開口されている。
【００１１】
ここで、上記ガイド駒が、その軸線方向の両端面における上記内側面側の端部間を軸線方向に貫通する連結穴を備えて成り、該連結穴に可撓性のワイヤー部材を挿通することにより互いに連結されて上記スクリーンガイドを形成していても良いし、上記ガイド駒が、その軸線方向の両端面における上記内側面側の端部に、それぞれ凸部と該凸部を収容するための凹部とを備えて成り、隣接するガイド駒における上記凸部と凹部とを回動軸と軸受穴とによって回動自在に係合させることにより互いに連結されて上記スクリーンガイドを形成していても良いし、又は、上記ガイド駒が、その軸線方向の両端面における上記内側面側の端部において、互いに一体に連結されて上記スクリーンガイドを形成していても良い。  ただし、スクリーンガイドが何れのガイド駒によって形成されている場合であっても、上記スクリーンガイドの上記内側面側に対する凸状の湾曲が、隣接するガイド駒における軸線方向の端面同士の当接によって、阻止されるように構成されていることが望ましい。
【００１２】
また、上記本発明に係る巻取り式スクリーン装置においては、上記スクリーンガイドが、その一端を上記固定枠に固定されて、上記可動框の往復動と共に該可動框の内部に出入りし、上記スクリーンの一端が可動框に保持され、該スクリーンの他端を保持して該スクリーンを捲回する上記巻取り軸が固定枠の内部に回動自在に支持されていても良いし、若しくは、上記スクリーンガイドが、その一端を上記可動框に固定されて、該可動框の往復動と共に上記固定枠の内部に出入りし、上記スクリーンの一端が固定枠に保持され、該スクリーンの他端を保持して該スクリーンを捲回する上記巻取り軸が可動框の内部に回動自在に支持されていても良い。
なお、上記スクリーンガイドが、上記開口枠上に設けられたガイドレールを跨ぐための凹溝を備えて成り、該開口枠上に導出されたスクリーンガイドが、上記ガイドレールによってガイドされるように構成されていると、スクリーンガイドの軌道がより安定するため好ましい。
【００１３】
さらに、本発明に係る巻取り式スクリーン装置においては、上記スクリーンが、上記可動框の横移動によって開閉され、上記スクリーンガイドが、上記巻取り軸から繰り出されたスクリーンにおける下側の端縁部に沿って導出されて、該端縁部をガイドするように構成することも可能である。
このとき、上記可動框の上端にスライド部材を設け、該スライド部材によって、上記開口枠の上枠に設けたスライド枠にスライド自在に吊支されるように構成しても良いし、上記スクリーンガイドが、上記巻取り軸から繰り出されたスクリーンにおける下側及び上側の端縁部に沿ってそれぞれ導出されて、これら一対の端縁部をガイドするように構成しても良い。
なお、上記巻取り式スクリーン装置は、張紐が、その張力によって上記固定枠と上記可動框との平行を維持するように架設されて成るワイヤー機構を備えていることが望ましい。
【００１４】
【発明の実施の形態】
以下に、図面を参照して本発明に係る巻取り式のスクリーン装置の実施例について詳述する。ただし、以下の実施例においては、本発明に係る巻取り式スクリーン装置を横引き式の防虫網戸として使用した場合について示すが、本発明に係る巻取り式スクリーン装置は、横引き式に限られることなく縦引き式としても使用することが可能であり、また、その用途についても、防虫に限られることなく、遮光、目隠し又は断熱等を目的とするものであっても良い。
【００１５】
図１及び図２は本発明に係る巻取り式スクリーン装置の第１実施例を示している。巻取り式スクリーン装置１Ａは、建物における窓枠や出入口等、一対の縦枠と上下枠とから成る開口枠に装着して横引きにより開閉するもので、該開口枠における一方の縦枠に固定するための固定枠２と、上記一対の縦枠間に、固定枠２に対して平行かつ往復操作可能に設けるための可動框３と、上記固定枠２内の巻取り軸４に捲回されて該固定枠２と可動框３との間に支持され、該可動框３の往復操作と共に上記巻取り軸４に巻き取られ又はそれから繰り出されて開閉されるスクリーン５と、上記可動框３の往復操作と共に該可動框３内に出入りして、上記巻取り軸４から繰り出されたスクリーン５における下側の端縁部をガイドするスクリーンガイド６と、上記開口枠の上枠に固定され、上記可動框３をその操作方向にスライド可能に吊支するためのスライド枠７と、上記開口枠における他方の縦枠に固定されて、上記可動框３を係脱自在に係止するための係止枠８とから構成されている。
【００１６】
上記スクリーンガイド６は、長尺かつ湾曲可能に形成され、その一端が固定枠２の下端部に固定されており、その他端側が、上記可動框３の開閉操作に伴って該可動框３の下端部に開設された開口３ａからその内部３ｂに湾曲して出入りするようになっている。そして、上記可動框３の閉操作により上記巻取り軸４からスクリーン５が繰り出されると、同時にスクリーンガイド６が可動框３内から上記開口枠の下枠上にスクリーン５における下側の端縁部に沿って直線的に導出されて、該端縁部をガイドするようになっている。
また、上記係止枠８は、断面略コの字状に形成され、その中に係止片８ａを備えており、閉操作された可動框３を該係止片８ａに係脱自在に係止させることによって巻取り軸４から繰り出されたスクリーン５を張設状態に保持することができるようになっている。
【００１７】
上記スクリーン５は防虫網から成り、図３に示すように、その下側の端縁部に沿って係合部材９が装着されている。また、上記スクリーンガイド６には、被係合部としての被係合溝１２ｂが、上記スクリーン５における下側の端縁部を臨む位置に軸線方向に沿って開口されている。そして、巻取り軸４から繰り出されたスクリーン５の上記係合部材９が、可動框３から導出されたスクリーンガイド６の上記被係合溝１２ｂに対して、摺動自在に係合されるようになっている。すなわち、上記係合部材９は、被係合溝１２ｂに対して、その開口方向には係合されると共に、その長手方向には摺動自在に挿通されるようになっている。
【００１８】
したがって、防虫網としてのスクリーン５を可動框３の閉操作により巻取り軸４から繰り出した状態においては、上記スクリーン５の係合部材９が上記スクリーンガイド６の被係合溝１２ｂに対して摺動自在に係合されて、該スクリーン５における下側の端縁部と開口枠の下枠との間に隙間が形成されないため、そこから室内へ蚊や蠅等の虫が侵入するのを防ぐことができる。しかも、上記スクリーン５を可動框３の開操作により巻取り軸４に巻き取った状態においては、スクリーンガイド６が可動框３内に収容されて開口枠の下枠上に残らないため、該スクリーンガイド６によって、外観が損なわれたり、開口高さが狭められたりすることがないばかりでなく、該スクリーンガイド６が、開口枠を通って室内に出入りする際の障害になることもない。
【００１９】
さらに具体的に説明すると、上記固定枠２は中空で、その内部２ａには、上記スクリーン５の横方向における一端を保持して該スクリーン５を捲回する上記巻取り軸４が回動自在に支持されている。そして、該固定枠２における可動框３と対向する面には、スクリーン５を出し入れするためのスリット状開口２ｂが縦方向に沿って開設され、その面の下端部に、上記スクリーンガイド６の一端が、その底面を該固定枠２の下端面と略面一にして固定されている。
【００２０】
ここで、上記巻取り軸４には、図示しないコイルスプリングによる自動巻取り機構が内蔵されていて、上記スクリーン５を可動框３の閉操作により繰り出した際に該コイルスプリングに戻りの回転付勢力が蓄積されるようになっており、その回転付勢力が蓄積されたコイルスプリングを駆動源として、上記スクリーン５を該巻取り軸４に自動的に巻き取ることができるようになっている。
【００２１】
一方、上記可動框３も同じく中空で、その上記固定枠２と対向する面には、スクリーン５の横方向における他端を保持するための係止溝３ｃが縦方向に沿って設けられ、両側面には開閉操作に供する取っ手溝３ｄが凹設さている。そして、上記固定枠２と対向する面の下端部には、上記スクリーンガイド６を可動框３の内部３ｂに出入りさせるための開口３ａが開設されており、可動框３の開操作によりスクリーン５を固定枠２内の巻取り軸４に巻き取らせた際には、一端を固定枠２に固定した上記スクリーンガイド６が、上記開口３ａを通じて、その他端側から可動框３の内部３ｂに収容され、逆に可動框３の閉操作によりスクリーン５を上記巻取り軸４から繰り出した際には、可動框３の内部３ｂに収容されたスクリーンガイド６が、上記可動框３の開口３ａから上記開口枠の下枠上に、スクリーン５における下側の端縁部に沿って直線的に導出されて、該端縁部をガイドするようになっている。
【００２２】
さらに、可動框３の上端には、ローラ等から成るスライド部材３ｅが設けられており、該スライド部材３ｅを上記スライド枠７の下面側に開口するスライドレール７ａに摺動自在に係合させることにより、可動框３がスライド枠７に対して摺動自在に吊支されている。なお、上記スライド枠７は、断面が下方に開いた略コの字状に形成されており、その対向する一対のガイド壁７ｂによって、上記可動框３における上端部の側面がガイドされている。
【００２３】
上記係合部材９は、図３に示すように、テープ状体９ａと、該テープ状体９ａの一端縁に沿って固定された複数の突子９ｂとによりファスナー状に形成されたもので、突子９ｂを下側にしてテープ状体９ａをスクリーン５における下側の端縁部に沿って溶着や縫合等の手段で固定することによって、該スクリーン５の端縁部に装着されている。
【００２４】
一方、上記スクリーンガイド６は、図４に示すように、複数のガイド駒１０を、可撓性を有するワイヤー部材５０で互いに連結することにより形成されている。
上記スクリーンガイド６を構成するガイド駒１０は、背向する一対の側面１１ａ，１１ａと、これら一対の側面１１ａ，１１ａにおける上端部間に位置して拡がり、上記スクリーン５側に配置される内側面１２ａとを有しており、軸線方向の両端面１３，１３における上端部間、すなわちスクリーン５側の端部間には、軸線方向に貫設された連結穴１４を有している。また、上記内側面１２ａには、上記被係合溝１２ｂが軸線方向に開設されている。
【００２５】
そして、複数の上記ガイド駒１０が、それらの連結穴１４に上記ワイヤー部材５０を挿通することにより、互いにその内側面１２ａ側に屈曲可能に連結されて、上記スクリーンガイド６を形成している。そのため、スクリーンガイド６全体が、上記内側面１２ａ側、すなわちガイドするスクリーン５側に対して凹状に湾曲可能となっている。なお、ガイド駒１０を連結したワイヤー部材５０の端部には、適宜の手段によって抜止処理が施されている。
【００２６】
より具体的には、上記ガイド駒１０は、合成樹脂の射出成形によって形成したもので、上記一対の側面１１ａ，１１ａを形成する一対の側壁１１，１１と、これら側壁１１，１１の上端部間に位置して上記内側面１２ａを形成する内側壁１２と、上記一対の側壁１１，１１間に架設されて、これらを互いに結合する結合壁１５とから構成されており、軸線方向に中空で断面略矩形の筒状に形成されている。なお、該ガイド駒１０を構成する一対の側壁１１，１１、内側壁１２及び結合壁１５は、何れも略矩形の板状に形成されている。また、上記連結穴１４は、上記一対の側面１１ａと内側面１２ａとによって形成される両角隅部に沿ってそれぞれ貫設されており、この２つの連結穴１４，１４にワイヤー部材５０，５０をそれぞれ挿通して、ガイド駒１０を互いに連結することにより、上記スクリーンガイド６が形成されている。
【００２７】
そして、上記被係合溝１２ｂは、内側壁１２の略中央を貫通して上記内側面１２ａに開口されており、図３（ｂ）に示すように、スクリーン５の端縁部に装着された上記係合部材９におけるテープ状体９ａを、上記被係合溝１２ｂに対して摺動自在に挿通すると共に、該係合部材９における突子９ｂの基部を、上記被係合溝１２ｂにおける内側壁１２の内面側開口縁１２ｃに対して摺動自在に係合させることにより、上記スクリーン５の端縁部がスクリーンガイド６によってガイドされるようになっている。
【００２８】
ところで、これらのガイド駒１０は、巻取り軸４から繰り出されたスクリーン５の端縁部に沿って上記スクリーンガイド６が開口枠上に直線的に導出された状態において、隣接するガイド駒１０における軸線方向の端面１３同士を互いに当接させて隙間なく配置されるように連結されている。そのため、上記スクリーン５側（内側面１２ａ側）に対するスクリーンガイド６の凸状の湾曲、すなわち開口枠からのスクリーンガイド６の浮き上がりを、隣接するガイド駒１０間における端面１３同士の当接によって可及的に防止することができるようになっている。
【００２９】
なお、このようなスクリーンガイド６においては、上記内側面１２ａを基準とする連結穴１４の位置等に応じて、上記ワイヤー部材５０の長さを、連結した多数のガイド駒１０の実長よりも僅かに長く形成したり、又は、ガイド駒１０における上記内側面１２ａと端面１３とが交わる角部に、図１に示すようなテーパ状切欠部ｔを形成したりすることにより、スクリーンガイド６を、可動框３の内部３ｂに出入させる際に、円滑にスクリーン５側（内側面１２ａ側）に対して凹状に湾曲させることが可能となる。
【００３０】
図５及び図６は、本発明に係る巻取り式スクリーン装置の第２実施例を示している。ここでは上記第１実施例に係る巻取り式スクリーン装置１Ａとは異なる構成部分のみについて説明することとし、その他の共通する構成部分については、重複を避けるために同じ符号を付して説明を省略する。
第２実施例に係るスクリーン装置１Ｂの上記スクリーン装置１Ａとの主な違いは、上記スクリーンガイド６が、その一端を可動框３０の下端部に固定されて、該可動框３０の開閉操作と共に固定枠２０の下端部に開設された開口２０ａからその内部２０ｂに出入りするようになっており、また、上記スクリーン５の横方向における一端を保持して該スクリーン５を捲回する上記巻取り軸４が可動框３０の内部３０ａに回動自在に支持され、該スクリーン５の横方向における他端が固定枠２０に保持されている点にある。
【００３１】
具体的には、上記可動框３０は中空で、その内部３０ａには、上記スクリーン５の横方向における一端を保持して該スクリーン５を捲回する上記巻取り軸４が回動自在に支持されている。そして、該可動框３０における固定枠２０と対向する面には、スクリーン５を出し入れするためのスリット状開口３０ｂが縦方向に沿って開設され、その面の下端部に、上記スクリーンガイド６の一端が、その底面を該可動框３０の下端面と略面一にして固定されている。また、該可動框３０の両側面には開閉操作に供する取っ手溝３０ｃが凹設されている。さらに、可動框３０の上端にはローラ等から成るスライド部材３０ｄが設けられており、該スライド部材３０ｄを上記スライド枠７の下面側に開口するスライドレール７ａに摺動自在に係合させることにより、可動框３０がスライド枠７に対して摺動自在に吊支されている。
【００３２】
一方、上記固定枠２０も同じく中空で、その上記可動框３０と対向する面には、スクリーン５の横方向における他端を保持するための係止溝２０ｃが縦方向に沿って設けられており、その面の下端部には、上記スクリーンガイド６を固定枠２０の内部２０ｂに出入りさせるための開口２０ａが開設されている。
そして、可動框３０の開操作によりスクリーン５を該可動框３０内の巻取り軸４に巻き取らせた際には、一端を可動框３０に固定した上記スクリーンガイド６が、上記開口２０ａを通じて、その他端側から固定枠２０の内部２０ｂに収容され、逆に可動框３０の閉操作によりスクリーン５を上記巻取り軸４から繰り出した際には、固定枠２０の内部２０ｂに収容されたスクリーンガイド６が、上記固定枠２０の開口２０ａから上記開口枠の下枠上に、スクリーン５における下側の端縁部に沿って直線的に導出されて、該端縁部をガイドするようになっている。
【００３３】
図７は、本発明に係る巻取り式スクリーン装置の第３実施例を示している。ここでは上記第１実施例に係る巻取り式スクリーン装置１Ａとは異なる構成部分のみについて説明することとし、その他の共通する構成部分については、重複を避けるために同じ符号を付して説明を省略する。
第３実施例に係るスクリーン装置１Ｃの上記スクリーン装置１Ａとの主な違いは、張紐４０ａ，４０ｂが、その張力によって固定枠２と可動框３との平行を維持するように架設されて成るワイヤー機構４０を備えている点にある。
【００３４】
具体的には、第１の張紐４０ａは、その一端が可動框３の内部３ｂに固定されて、該可動框３の上端部へと導かれ、そして、該可動框３の上端部において転向されて、スクリーン装置１Ｃの上端部に沿って上記係止枠８の上端部へと架け渡され、該係止枠８の上端部において折り返されて、スクリーン装置１Ｃの上端部に沿って固定枠２の上端部へと架け渡され、続いて、該固定枠２の上端部において転向されて、該固定枠２の内部２ａをその下端部へと導かれ、該固定枠２の下端部において転向されて、スクリーン装置１Ｃの下端部に沿って再び可動框３の下端部へと架け渡され、さらに、該可動框３の下端部において転向されて、その他端が可動框３の内部３ｂに固定されている。
【００３５】
一方、第２の張り紐４０ｂは、その一端がスクリーンガイド６における可動框３の内部３ｂで最も端に連結されたガイド駒１０に固定されて、該可動框３の下端部へと導かれ、そして、該可動框２の下端部において折り返されて、該可動框３の内部３ｂをその上端部へと導かれ、続いて、該可動框３の上端部において転向されて、スクリーン装置１Ｃの上端部に沿って固定枠２の上端部へと架け渡され、さらに、該可動框３の上端部において転向されて、その他端が固定枠２の内部２ａに固定されている。
【００３６】
図８は本発明に係る巻取り式スクリーン装置の第４実施例を示している。ここでは上記第２実施例に係る巻取り式スクリーン装置１Ｂとは異なる構成部分のみについて説明することとし、その他の共通する構成部分については、重複を避けるために同じ符号を付して説明を省略する。
第４実施例に係るスクリーン装置１Ｄの上記スクリーン装置１Ｂとの主な違いは、張紐４１ａ，４１ｂが、その張力によって固定枠２０と可動框３０との平行を維持するように架設されて成るワイヤー機構４１を備えている点にある。
【００３７】
具体的には、第１の張紐４１ａは、その一端が可動框３０の内部３０ａに固定されて、該可動框３０の上端部へと導かれ、そして、該可動框３０の上端部において転向されて、スクリーン装置１Ｄの上端部に沿って上記係止枠８の上端部へと架け渡され、該係止枠８の上端部において折り返されて、スクリーン装置１Ｄの上端部に沿って固定枠２０の上端部へと架け渡され、続いて、該固定枠２０の上端部において転向されて、該固定枠２０の内部２０ｂをその下端部へと導かれ、該固定枠２０の下端部において転向されて、スクリーン装置１Ｄの下端部に沿って再び可動框３０の下端部へと架け渡され、さらに、該可動框３０の下端部において転向されて、その他端が可動框３０の内部３０ａに固定されている。
【００３８】
一方、第２の張り紐４１ｂは、その一端が可動框３０の内部３０ａに固定されて、該可動框３０の上端部へと導かれ、そして、該可動框３０の上端部において転向されて、スクリーン装置１Ｄの上端部に沿って固定枠２０の上端部へと架け渡され、続いて、該固定枠２０の上端部において転向されて、該固定枠２０の内部２０ｂをその下端部へと導かれ、さらに、該固定枠２０の下端部において折り返されて、その他端がスクリーンガイド６における固定枠２０の内部２０ｂで最も端に連結されたガイド駒１０に固定されている。
【００３９】
図９は本発明に係る巻取り式スクリーン装置の第５実施例を示している。ここでは上記第１実施例に係る巻取り式スクリーン装置１Ａとは異なる構成部分のみについて説明することとし、その他の共通する構成部分については、重複を避けるために同じ符号を付して説明を省略する。
第５実施例に係るスクリーン装置１Ｅの上記スクリーン装置１Ａとの主な違いは、一対のスクリーンガイド６，６が、可動框３の開閉操作に伴って、該可動框３の下端部と上端部とに設けられた開口３ａ，３ａからその内部３ｂにそれぞれ湾曲して出入りし、可動框３の閉操作に伴って、固定枠２内の巻取り軸４から繰り出されたスクリーン５における上下一対の端縁部に沿ってそれぞれ導出されて、これら一対の端縁部をガイドするように構成した点、及び、張紐４２ａが、その張力によって固定枠２と可動框３との平行を維持するように架設されて成るワイヤー機構４２を備えている点にある。
【００４０】
具体的には、内部２ａに上記巻取り軸４が支持された固定枠２には、その上記可動框３と対向する面における上端部及び下端部に、上記一対のスクリーンガイド６，６の一端が、それらの底面をそれぞれ該固定枠２の上端面及び下端面と略面一にして固定されている。
一方、上記可動框３には、その上記固定枠２と対向する面における上端部及び下端部に、上記一対のスクリーンガイド６，６をそれぞれ該可動框３の内部３ｂに出入りさせるための一対の開口３ａ，３ａが開設されている。
【００４１】
そして、可動框３の開操作によりスクリーン５を固定枠２内の巻取り軸４に巻き取らせた際には、一端を固定枠２に固定した上記一対のスクリーンガイド６，６が、それぞれ上記開口３ａ，３ａを通じて、それらの他端側から可動框３の内部３ｂに収容され、逆に可動框３の閉操作によりスクリーン５を上記巻取り軸４から繰り出した際には、可動框３の内部３ｂに収容された一対のスクリーンガイド６，６が、それぞれ上記開口３ａ，３ａから上記開口枠の上枠及び下枠上に、スクリーン５における上側及び下側の端縁部に沿って直線的に導出されて、これらの端縁部をガイドするようになっている。
【００４２】
さらに、可動框３の上下端には、一対の転動子３ｆ、３ｆが設けられ、また、上記開口枠の上枠には、断面略コの字状のスライド枠７０が、下向きに開口して取り付けられており、可動框３の上端においては、転動子３ｆがスライド枠７０の底面７０ａ上を転動すると共に、該可動框３の両側面がスライド枠７０の対向する一対のガイド壁７ｂによってガイドされ、一方、可動框３の下端においては、上記転動子３ｆが上記開口枠の下枠上を転動するようになっている。
【００４３】
また、上記張紐４２ａは、その一端が上側のスクリーンガイド６における可動框３の内部３ｂで最も端に連結されたガイド駒１０に固定されており、該可動框３の内部３ｂにおける略中間位置において上方に折り返されて、該可動框３の上端部へと導かれ、該可動框３の上端部において転向されて、スクリーン装置１Ｅの上端部に沿って係止枠８の上端部へと架け渡され、該係止枠８の上端部において折り返されて、再び可動框３の上端部へと架け渡され、そして、該可動框３の上端部において下方に転向されて、該可動框３の内部３ｂをその下端部へと導かれ、続いて、該可動框３の下端部において上方に折り返されて、その他端が下側のスクリーンガイド６における可動框３の内部３ｂで最も端に連結されたガイド駒１０に固定されている。
【００４４】
図１０は本発明に係る巻取り式スクリーン装置の第６実施例を示している。ここでは上記第２実施例に係る巻取り式スクリーン装置１Ｂとは異なる構成部分のみについて説明することとし、その他の共通する構成部分については、重複を避けるために同じ符号を付して説明を省略する。
第６実施例に係るスクリーン装置１Ｆの上記スクリーン装置１Ｂとの主な違いは、一対のスクリーンガイド６，６が、可動框３０の開閉操作に伴って、固定枠２０の下端部と上端部とに設けられた開口２０ａ，２０ａからその内部２０ｂにそれぞれ湾曲して出入りし、可動框３０の閉操作に伴って、可動框３０内の巻取り軸４から繰り出されたスクリーン５における上下一対の端縁部に沿ってそれぞれ導出されて、これら一対の端縁部をガイドするように構成した点、及び、張紐４３ａ，４３ｂが、その張力によって固定枠２０と可動框３０との平行を維持するように架設されて成るワイヤー機構４３を備えている点にある。
【００４５】
具体的には、内部３０ａに上記巻取り軸４が支持された可動框３０には、その上記固定枠２０と対向する面における上端部及び下端部に、上記一対のスクリーンガイド６，６の一端が、それらの底面をそれぞれ該可動框３０の上端面及び下端面と略面一にして固定されている。
一方、上記固定枠２０には、その上記可動框３０と対向する面における上端部及び下端部に、上記一対のスクリーンガイド６，６をそれぞれ該固定枠２０の内部２０ｂに出入りさせるための一対の開口２０ａ，２０ａが開設されている。
【００４６】
そして、可動框３０の開操作によりスクリーン５を該可動框３０内の巻取り軸４に巻き取らせた際には、一端を可動框３０に固定した上記一対のスクリーンガイド６，６が、それぞれ上記開口２０ａ，２０ａを通じて、それらの他端側から固定枠２０の内部２０ｂに収容され、逆に可動框３０の閉操作によりスクリーン５を上記巻取り軸４から繰り出した際には、固定枠２０の内部２０ｂに収容された一対のスクリーンガイド６，６が、それぞれ上記開口２０ａ，２０ａから上記開口枠の上枠及び下枠上に、スクリーン５における上側及び下側の端縁部に沿って直線的に導出されて、これらの端縁部をガイドするようになっている。
【００４７】
さらに、可動框３０の上下端には、一対の転動子３０ｅ、３０ｅが設けられ、また、上記開口枠の上枠には、内側にレール溝７１ａを備えた断面略コの字状のスライド枠７１が、下向きに開口して取り付けられており、可動框３０の上端においては、転動子３０ｅがスライド枠７１のレール溝７１ａに沿って転動すると共に、該可動框３０の両側面がスライド枠７１の対向する一対のガイド壁７１ｂによってガイドされ、一方、可動框３０の下端においては、上記転動子３０ｅが上記開口枠の下枠上を転動するようになっている。
【００４８】
上記張紐４３ａは、その一端が可動框３０の内部３０ａに固定されて該可動框３０の上端部へと導かれ、該可動框３０の上端部において転向されて、スクリーン装置１Ｆの上端部に沿って固定枠２０の上端部へと架け渡され、そして、該固定枠２０の上端部において下方に転向されて、該固定枠２０の内部２０ｂをその下端部へと導かれ、続いて、該固定枠２０の下端部において折り返されて、その他端が下側のスクリーンガイド６における固定枠２０の内部２０ｂで最も端に連結されたガイド駒１０に固定されている。
【００４９】
一方、上記張紐４３ｂは、その一端が可動框３０の内部３０ａに固定されて該可動框３０の下端部へと導かれ、該可動框３０の下端部において転向されて、スクリーン装置１Ｆの下端部に沿って固定枠２０の下端部へと架け渡され、そして、該固定枠２０の下端部において上方に転向されて、該固定枠２０の内部２０ｂをその上端部へと導かれ、続いて、該固定枠２０の上端部において折り返されて、その他端が上側のスクリーンガイド６における固定枠２０の内部２０ｂで最も端に連結されたガイド駒１０に固定されている。
【００５０】
図１１は、複数のガイド駒１０がワイヤー部材５０によって連結されて成る上記スクリーンガイド６及び該ガイド駒１０の変形例を示している。ただし、ここでは図３（ｂ）及び図４に示すガイドレール６及びガイド駒１０とは異なる構成部分のみについて説明することとし、その他の共通する構成部分については、重複を避けるために同じ符号を付して説明を省略する。
図１１（ａ）に示すスクリーンガイド６Ａのガイド駒１０Ａにおいては、上記連結穴１４を、内側壁１２の略中央に形成した肉厚部に１つ貫設すると共に、上記被係合溝１２ｂを、内側壁１２の中央から外れた位置に開設している。
【００５１】
また、図１１（ｂ）に示すスクリーンガイド６Ｂのガイド駒１０Ｂにおいては、一対の側壁１１，１１をその中間部で連結壁１５によって結合することにより、側壁１１，１１の内面と連結壁１５の底面とによって凹溝１６を形成している。そして、該凹溝１６が開口枠に設けられたガイドレール１７を摺動自在に跨ぐことにより、該開口枠上に導出されたスクリーンガイド６Ｂがガイドレール１７によってガイドされるようにしてしている。
【００５２】
さらに、図１１（ｃ）に示すスクリーンガイド６Ｃのガイド駒１０Ｃにおいては、図１１（ｂ）に示すガイド駒１０と同様にして凹溝１８が形成され、該凹溝１８の各開口縁に内側に向けて鍔部１８ａが形成されている。そして、上記凹溝１８が、開口枠に設けられたＴ字状のガイドレール１９に上記鍔部１８ａを係合させて、該ガイドレール１９を摺動自在に跨ぐことにより、該開口枠上に導出されたスクリーンガイド６Ｃがガイドレール１９によってガイドされるようにしている。ただし、この図１１（ｃ）に示すガイドレール６Ｃ及びガイド駒は１０Ｃは、上記第２実施例，第４実施例，第６実施例のような、固定枠の内部に対してスクリーンガイドが出入りするタイプの巻取り式スクリーン装置に適用可能である。
【００５３】
図１２及び図１３は、スクリーンガイド及びガイド駒の第２の形態及び第３の形態をそれぞれ示すものである。なお、ここでは図３（ｂ）及び図４に示すスクリーンガイド６及びガイド駒１０とは異なる構成部分のみについて説明することとし、その他の共通する構成部分については、重複を避けるために同じ符号を付して説明を省略する。
【００５４】
図１２に示すガイド駒１０Ｄは、その軸線方向の両端面１３，１３における内側面１２ａ側（スクリーン５側）の端部に、軸線方向に突設した凸部１３ａと、端面１３及び内側面１２ａに跨って開口して該凸部１３ａを収容する凹部１３ｂとをそれぞれ備えており、これら凸部１３ａ及び凹部１３ｂには、互いに回動自在に嵌合される回転軸１３ｃ及びその軸受穴１３ｄがそれぞれ形成されている。そして、隣接するガイド駒１０Ｄ，１０Ｄにおける上記凸部１３ａと凹部１３ｂとを、上記回動軸１３ｃと軸受穴１３ｄとの嵌合によって、互いに回動自在に係合させることにより、複数のガイド駒１０Ｄが連結されて上記スクリーンガイド６Ｄを形成している。
【００５５】
具体的には、上記ガイド駒１０Ｄは、その両端面１３，１３における内側面１２ａ側の端部の両側端、すなわち、その内側壁１２の四隅に、一対の上記凸部１３ａ，１３ａと一対の上記凹部１３ｂ，１３ｂとをそれぞれ備えている。
これら一対の凸部１３ａ，１３ａは、ガイド駒１０Ｄの軸線方向に突設されて、その外周が略円弧状に形成されており、ガイド駒１０Ｄの軸線と直交する方向に貫設された上記軸受穴１３ｄをそれぞれ有している。
【００５６】
その一方で、上記一対の凹部１３ｂ，１３ｂは、側面１１ａと内側面１２ａと端面１３とに跨って開口されて、ガイド駒１０の軸線と直交する方向に突設された上記回動軸１３ｃをそれぞれ有しており、また、該凹部１３ｂの内周も略円弧状に形成されて、隣接するガイド駒１０が互いに回動できる範囲を制限している。そのため、スクリーンガイド６Ｄの上記スクリーン５側（内側面１２ａ側）に対する凸状の湾曲、すなわち開口枠からのスクリーンガイド６Ｄの浮き上がりを、上述した端面１３同士の当接とによって、可及的に防止することができるようになっている。
【００５７】
なお、内側壁１２における軸線方向の両端には、テーパ部１３ｅ，１３ｅがそれぞれ形成されており、隣接するガイド駒１０Ｄ相互の内側面１２ａ側に対する滑らかな屈折、すなわち、スクリーンガイド６Ｄの内側面１２ａ側に対する滑らかな凹状の湾曲を可能としている。
【００５８】
図１３に示すスクリーンガイド６Ｅは、複数のガイド駒１０Ｅを、軸線方向の両端面１３，１３における上記内側面側の端部、すなわち上記内側壁１２における軸線方向の両端において、上述のようなワイヤー部材５０等を用いずに、単に屈折自在な連結部１３ｆによって互いに一体に連結することにより形成されている。そして、隣接するガイド駒１０Ｅにおける互いに対向する端面１３，１３間には、スリット状の隙間１３ｇが形成されており、上記連結部１３ｆを形成するその一端は円弧状に形成されて、該連結部１３ｆの耐久性を高めている。なお、当該スクリーンガイド６Ｅは、屈曲性に優れた樹脂による押出成形等によって形成することが可能である。
【００５９】
【発明の効果】
以上に詳述したように、本発明に係る巻取り式スクリーン装置によれば、巻取り軸から繰り出されたスクリーンの端縁部をガイドするスクリーンガイドが、スクリーンを上記巻取り軸に巻き取って開いた状態においては、固定枠又は可動框の内部に収容されて建物の開口枠上に残らないため、該スクリーンガイドが、外観を損ねたり、開口の幅や高さを狭めたりすることがなく、上記開口枠を通って室内に出入りする際の障害となることもない。
【図面の簡単な説明】
【図１】本発明に係る巻取り式スクリーン装置の第１実施例を示す正面図である。
【図２】（ａ）及び（ｂ）は、それぞれ図１におけるＡ−Ａ断面図及びＢ−Ｂ断面図であり、（ｃ）は、図１における要部拡大斜視図である。
【図３】（ａ）は、係合部材が装着されたスクリーンの端縁部を示す、図１における部分拡大図であり、（ｂ）は、係合部材がスクリーンガイドの被係合溝に対して摺動自在に係合されて、スクリーンの端縁部が該スクリーンガイドによってガイドされた状態を示す、図１における部分拡大断面図である。
【図４】（ａ）は、図１におけるガイド駒の拡大斜視図であり、（ｂ）は、該ガイド駒を連結して形成されたスクリーンガイドの拡大斜視図である。
【図５】本発明に係る巻取り式スクリーン装置の第２実施例を示す正面図である。
【図６】（ａ）及び（ｂ）は、それぞれ図５におけるＣ−Ｃ断面図及びＤ−Ｄ断面図であり、（ｃ）は、図５における要部拡大斜視図である。
【図７】本発明に係る巻取り式スクリーン装置の第３実施例を示す正面図である。
【図８】本発明に係る巻取り式スクリーン装置の第４実施例を示す正面図である。
【図９】（ａ）は、本発明に係る巻取り式スクリーン装置の第５実施例を示す正面図であり、（ｂ）はそのＥ−Ｅ断面図である。
【図１０】（ａ）は、本発明に係る巻取り式スクリーン装置の第６実施例を示す正面図であり、（ｂ）はそのＦ−Ｆ断面図である。
【図１１】上記ガイド駒の変形例を示す部分拡大断面図である
【図１２】（ａ）及び（ｂ）は、上記ガイド駒及びスクリーンガイドの第２の形態を示す拡大斜視図である
【図１３】スクリーンガイドの第３の形態を示す拡大斜視図である。
【符号の説明】
１Ａ〜１Ｆ    巻取り式スクリーン装置
２，２０      固定枠
３，３０      可動框
２ａ，２０ｂ          固定枠の内部
３，３０              可動框
３ｂ，３０ａ          可動框の内部
３ａ，２０ａ          開口
４                    巻取り軸
５                    スクリーン
６，６Ａ〜６Ｅ        スクリーンガイド
７，７０              スライド枠
９                    係合部材
９ａ                  テープ状体
９ｂ                  突子
１０，１０Ａ〜１０Ｅ  ガイド駒
１１                  側壁
１１ａ                側面
１２                  内側壁
１２ａ                内側面
１２ｂ                被係合部（被係合溝）
１３                  端面
１３ａ                凸部
１３ｂ                凹部
１３ｃ                回動軸
１３ｄ                軸受穴
１４                  連結穴
５０                  ワイヤー部材
【図１】
2004346578.tif 000003
【図２】
2004346578.tif 000004
【図３】
2004346578.tif 000005
【図４】
2004346578.tif 000006
【図５】
2004346578.tif 000007
【図６】
2004346578.tif 000008
【図７】
2004346578.tif 000009
【図８】
2004346578.tif 000010
【図９】
2004346578.tif 000011
【図１０】
2004346578.tif 000012
【図１１】
2004346578.tif 000013
【図１２】
2004346578.tif 000014
【図１３】
2004346578.tif 000015